(57)【要約】【目的】受信強度に拘わらず高精度な復調を行うことが可能な受信装置及び多重フィルタの制御方法を提供することを目的とする。【構成】送信信号を受信して得られた周波数信号に対して、夫々が異なる周波数特性を有する複数のフィルタが直列に接続されてなる多重フィルタによって周波数選択処理を施すにあたり、受信強度が所定の閾値受信強度よりも高い場合には、複数のフィルタの内の少なくとも１つのフィルタの中心周波数を偏倚させる。【選択図】図２
2012239016.tif 000002
【特許請求の範囲】
【請求項１】
夫々が異なる周波数特性を有して互いに直列に接続された複数のフィルタを含み送信信号を受信して得られた周波数信号に対して周波数選択処理を施す多重フィルタと、前記多重フィルタによって周波数選択処理の施された処理後信号を復調して情報データを得る復調部と、を備えた受信装置であって、
前記送信信号を受信した際の受信強度が閾値受信強度よりも高いか否かを判定する受信強度判定部と、
前記受信強度判定部によって前記受信強度が前記閾値受信強度よりも高いと判定された場合には、前記複数のフィルタの内の少なくとも１つのフィルタの中心周波数を偏倚せしめる制御部と、を更に備えたことを特徴とする受信装置。
【請求項２】
前記多重フィルタはバンドパスフィルタであり、
前記制御部は、前記１つのフィルタの中心周波数を前記多重フィルタの中心周波数から遠ざける方向に偏倚せしめることを特徴とする請求項１記載の受信装置。
【請求項３】
前記１つのフィルタは、前記複数のフィルタの内の他のフィルタよりもＱ値が高いフィルタであることを特徴とする請求項１又は２記載の受信装置。
【請求項４】
前記複数のフィルタの各々はアクティブフィルタであることを特徴とする請求項１〜３のいずれか１に記載の受信装置。
【請求項５】
前記多重フィルタはローパスフィルタであり、
前記制御部は、前記１つのフィルタの中心周波数を前記多重フィルタのカットオフ周波数から高域側に遠ざける方向に偏倚せしめることを特徴とする請求項１記載の受信装置。
【請求項６】
前記１つのフィルタは、前記複数のフィルタの内の他のフィルタよりもＱ値が高いフィルタであることを特徴とする請求項５記載の受信装置。
【請求項７】
前記複数のフィルタの各々はアクティブフィルタであることを特徴とする請求項５又は６に記載の受信装置。
【請求項８】
夫々が異なる周波数特性を有して互いに直列に接続された複数のフィルタを含み送信信号を受信して得られた周波数信号に対して周波数選択処理を施す多重フィルタの制御方法であって、
前記送信信号を受信した際の受信強度が閾値受信強度よりも高い場合には、前記複数のフィルタの内の少なくとも１つのフィルタの中心周波数を偏倚せしめることを特徴とする多重フィルタの制御方法。
【請求項９】
前記多重フィルタはバンドパスフィルタであり、
前記受信強度が閾値受信強度よりも高い場合には、前記１つのフィルタの中心周波数を前記多重フィルタの中心周波数から遠ざける方向に偏倚せしめることを特徴とする請求項８記載の多重フィルタの制御方法。
【請求項１０】
前記１つのフィルタは、前記複数のフィルタの内の他のフィルタよりもＱ値が高いフィルタであることを特徴とする請求項８又は９記載の多重フィルタの制御方法。
【請求項１１】
前記複数のフィルタの各々はアクティブフィルタであることを特徴とする請求項８〜１０のいずれか１に記載の多重フィルタの制御方法。
【請求項１２】
前記多重フィルタはローパスフィルタであり、
前記制御部は、前記１つのフィルタの中心周波数を前記多重フィルタのカットオフ周波数から高域側に遠ざける方向に偏倚せしめることを特徴とする請求項８記載の多重フィルタの制御方法。
【請求項１３】
前記１つのフィルタは、前記複数のフィルタの内の他のフィルタよりもＱ値が高いフィルタであることを特徴とする請求項１２記載の多重フィルタの制御方法。
【請求項１４】
前記複数のフィルタの各々はアクティブフィルタであることを特徴とする請求項１２又は１３記載の多重フィルタの制御方法。
【発明の詳細な説明】
【技術分野】
【０００１】
本発明は、受信装置、特に無線送信された信号を受信して復調する受信装置、及び受信装置に搭載されている多重フィルタの制御方法に関する。
【背景技術】
【０００２】
このような受信装置として、受信したＲＦ(Radio Frequency)信号を中間周波数(ＩＦ：Intermediate Frequency)帯域に変換して得られたＩＦ信号に対してアナログバンドパスフィルタ（以下、アナログＢＰＦと称する）で周波数選択処理を施し、この処理後の信号を復調することにより情報データを復元するものが知られている。
【０００３】
上記したアナログＢＰＦとしては、受信時の妨害耐性を高める為にＱ値の高いものが要求される。そこで、所望の減衰特性及び通過帯域を実現するフィルタとして、複数の夫々異なる周波数特性を有するフィルタを直列に接続したフィルタ（以下、多重フィルタと称する）が提案されている（例えば、特許文献１の図１又は図３参照）。
【０００４】
しかしながら、このような構成のフィルタによると、例えば図１の実線に示す如き周波数帯域の中間部が凹状で両側が凸状となるフィルタの群遅延特性に起因して復調誤差率が増大する場合がある。
【０００５】
そこで、アナログＢＰＦが有する群遅延特性の逆特性を有するディジタルフィルタをこのアナログＢＰＦの直後に設けることにより、その群遅延特性の相殺を図るようにした技術が提案された（例えば特許文献２の図１参照）。
【０００６】
また近年、アナログＢＰＦとして、小型且つ良好なフィルタ特性を得るべく、アンプを搭載したアクティブ型のフィルタが用いられている。この際、装置の低消費電力化を図るべく、ＢＰＦ内のアンプの駆動電流を抑えることによりその出力飽和振幅電圧を低い値（例えば１．５ボルト）に設定している。アンプの出力飽和振幅電圧を低下させると、ＲＦ信号のレベルが比較的大（例えば１．２Ｖ）となった場合にアンプが飽和領域に近い状態での動作となる。例えば、受信装置及び送信装置間の距離が近い、いわゆる近距離通信が実施されている場合には、ＲＦ信号のレベルが大となる。このようにアンプが飽和領域に近い状態で動作するようになると、アナログＢＰＦの群遅延特性が図１の実線にて示される状態から図１の破線にて示される状態に遷移する。この際、受信強度が高い場合には低い場合に比して各周波数に対する群遅延量の変動が大となる。
【０００７】
よって、近距離通信が実施されている際に、送信装置側の周波数偏差、或いは受信装置側の局部発振器の中心周波数の初期偏差等により受信信号の中心周波数が所望の中心周波数からずれていると、ＢＰＦが所望とする周波数帯域の信号を通過させることができなくなり、正確なデータ復調が困難になるという問題が生じた。
【先行技術文献】
【特許文献】
【０００８】
【特許文献１】特開平８−１７２３３８号公報
【特許文献２】特開２００２−１４１８２１号公報
【発明の概要】
【発明が解決しようとする課題】
【０００９】
本願発明は、上記の如き問題を解決すべく為されたものであり、受信強度に拘わらず高精度な復調を行うことが可能な受信装置及び多重フィルタの制御方法を提供することを目的とする。
【課題を解決するための手段】
【００１０】
本発明に係る受信装置は、夫々が異なる周波数特性を有して互いに直列に接続された複数のフィルタを含み送信信号を受信して得られた周波数信号に対して周波数選択処理を施す多重フィルタと、前記多重フィルタによって周波数選択処理の施された処理後信号を復調して情報データを得る復調部と、を備えた受信装置であって、前記送信信号を受信した際の受信強度が閾値受信強度よりも高いか否かを判定する受信強度判定部と、前記受信強度判定部によって前記受信強度が前記閾値受信強度よりも高いと判定された場合には、前記複数のフィルタの内の少なくとも１つのフィルタの中心周波数を偏倚せしめる制御部と、を更に備える。
【００１１】
本発明に係る多重フィルタの制御方法は、夫々が異なる周波数特性を有して互いに直列に接続された複数のフィルタを含み送信信号を受信して得られた周波数信号に対して周波数選択処理を施す多重フィルタの制御方法であって、前記送信信号を受信した際の受信強度が閾値受信強度よりも高い場合には、前記複数のフィルタの内の少なくとも１つのフィルタの中心周波数を偏倚せしめる。
【発明の効果】
【００１２】
本発明においては、送信信号を受信して得られた周波数信号に対して多重フィルタにて周波数選択処理を施すにあたり、その受信強度が、多重フィルタに搭載されているアンプの飽和領域に達する程度に高い状態になった場合には、多重フィルタを構成する複数のフィルタの内の少なくとも１つのフィルタの中心周波数を偏倚させる。この際、多重フィルタの中心周波数から遠ざける方向に偏倚させることにより、多重フィルタの通過帯域幅が広がると共に群遅延の変動量が少なくなる。よって、この多重フィルタによれば、受信強度が高い状態にあることに起因して多重フィルタの群遅延量の変動が大となっている場合に、受信信号の中心周波数が所定の中心周波数からずれた状態にあっても、復調対象とすべき所望帯域の信号を抽出することができるので、高精度な復調が為されるようになる。
【図面の簡単な説明】
【００１３】
【図１】遠距離無線時及び近距離無線時各々でのアナログバンドパスフィルタの群遅延特性の一例を示す図である。
【図２】本発明に係る受信装置の全体構成を示すブロック図である。
【図３】ＢＰＦ３の内部構成の一例を示すブロック図である。
【図４】可変特性フィルタＦ１〜Ｆ５各々の内部構成の一例を示す回路図である。
【図５】低受信強度モード及び高受信強度モード各々でのＢＰＦ３の周波数特性の一例を示す図である。
【図６】低受信強度モード及び高受信強度モード各々でのＢＰＦ３の群遅延特性の一例を示す図である。
【図７】可変抵抗（３２〜３５、４２〜４５）、可変コンデンサ（３６、３７、４６、４７）の構成例を示す回路図である。
【発明を実施するための形態】
【００１４】
本発明においては、送信信号を受信して得られた周波数信号に対して、夫々が異なる周波数特性を有する複数のフィルタが直列に接続されてなる多重フィルタによって周波数選択処理を施すにあたり、受信強度が所定の閾値受信強度よりも高い場合には、複数のフィルタの内の少なくとも１つのフィルタの中心周波数を偏倚させる。
【実施例】
【００１５】
図２は、受信装置の全体構成を示すブロック図である。
【００１６】
図２において、送信装置（図示せぬ）から無線送信された送信信号はアンテナによって受信され。このアンテナで受信して得られたＲＦ信号は受信信号としてアンプ１に供給される。アンプ１は、かかる受信信号を増幅して得られた増幅受信信号Ｒをミキサ２に供給する。ミキサ２は、かかる増幅受信信号Ｒに、局部発振回路７から供給された局部発振信号ｆＱを混合することにより中間周波数帯の中間周波数信号ＩＦを生成し、これをバンドパスフィルタ（以下、ＢＰＦと称する）３に供給する。
【００１７】
ＢＰＦ３は、中間周波数信号ＩＦに対して、中心周波数ｆｃを中心とした所定周波数帯域の成分のみを通過させる周波数選択処理を施すことにより、不要な帯域成分を除去した中間周波数信号ＩＦＸを抽出し、これを中間周波増幅回路４に供給する。尚、ＢＰＦ３は、後述するように、フィルタ制御データＧＤに基づきそのフィルタ特性を変更することが可能な多重フィルタである。
【００１８】
中間周波増幅回路４は、中間周波数信号ＩＦＸを増幅した増幅中間周波数信号ＩＦＡをＡＤコンバータ５、及び受信強度測定回路としてのＲＳＳＩ（Ｒｅｃｅｉｖｅｄ Ｓｉｇｎａｌ Ｓｔｒｅｎｇｔｈ Ｉｎｄｉｃａｔｏｒ）回路８に供給する。ＲＳＳＩ回路８は、増幅中間周波数信号ＩＦＡを整流することにより上記アンテナでの受信強度を測定し、この受信強度を示す受信強度信号ＲＳをＡＤコンバータ５に供給する。ＡＤコンバータ５は、上記した増幅中間周波数信号ＩＦＡをディジタル値に変換して得られた中間周波数信号ＩＦＤを復調回路９に供給する。また、ＡＤコンバータ５は、上記した受信強度信号ＲＳをディジタル値に変換して得られた受信強度信号ＲＳＤを受信レベル判定回路１１に供給する。復調回路９は、上記中間周波数信号ＩＦＤに対して復調処理を施すことにより、無線送信された情報データを復元し、これを受信制御部１３に供給する。
【００１９】
受信レベル判定回路１１は、受信強度データＲＤによって示される受信強度が閾値受信強度ＲＧよりも高いか否かを判定し、高い場合には論理レベル１、低い場合には論理レベル０の強受信検出フラグＧＦをセレクタ１２に供給する。尚、受信信号の中心周波数の偏移によるデータエラー発生の状態はＢＰＦ３のオペアンプ（後述する）が飽和する境界を境に発生するため、閾値受信強度ＲＧとしては、オペアンプが飽和するレベルより低いレベル（例えば−９０ｄＢｍ）に設定するのが良い。
【００２０】
高受信強度用制御データレジスタ２３には、ＢＰＦ３のフィルタ特性を設定する為のフィルタ制御データとして、受信強度が閾値受信強度ＲＧより高い場合に最適となる高受信強度用フィルタ制御データＧ１が予め記憶されている。高受信強度用制御データレジスタ２３は、かかる高受信強度用フィルタ制御データＧ１をセレクタ１２に供給する。
【００２１】
低受信強度用制御データレジスタ２４には、ＢＰＦ３のフィルタ特性を設定する為のフィルタ制御データとして、受信強度が閾値受信強度ＲＧより低い場合に最適となる低受信強度用フィルタ制御データＧ２が予め記憶されている。低受信強度用制御データレジスタ２４は、かかる低受信強度用フィルタ制御データＧ２をセレクタ１２に供給する。
【００２２】
セレクタ１２は、受信レベル判定回路１１から供給された強受信検出フラグＧＦに応じて、上記した高受信強度用フィルタ制御データＧ１及び低受信強度用フィルタ制御データＧ２の内から一方を選択し、これをフィルタ制御データＧＤとしてＢＰＦ３に供給する。すなわち、セレクタ１２は、論理レベル１の強受信検出フラグＧＦが供給された場合、つまり受信強度が閾値受信強度ＲＧよりも高い場合には、高受信強度用フィルタ制御データＧ１を選択し、これをフィルタ制御データＧＤとしてＢＰＦ３に供給する。また、セレクタ１２は、受信レベル判定回路１１から論理レベル０の強受信検出フラグＧＦが供給された場合、つまり受信強度が閾値受信強度ＲＧよりも低い場合には、低受信強度用フィルタ制御データＧ２を選択し、これをフィルタ制御データＧＤとしてＢＰＦ３に供給する。
【００２３】
図３は、ＢＰＦ３の内部構成の一例を示す図である。
【００２４】
図３に示すように、ＢＰＦ３は、夫々周波数特性が異なる可変特性フィルタＦ１〜Ｆ５が直列に接続されてなる多重フィルタである。尚、可変特性フィルタＦ１〜Ｆ５は同一の内部構成を有するものであるが、フィルタ制御データＧＤによって、夫々が異なる周波数特性を有するフィルタに設定されている。
【００２５】
図４は、可変特性フィルタＦ１〜Ｆ５各々の内部構成の一例を示す回路図である。
【００２６】
図４において、アクティブフィルタＡＦ１は、オペアンプ３１、可変抵抗３２〜３５、可変コンデンサ３６及び３７を含む構成となっている。ミキサ２から供給された中間周波数信号ＩＦにおける正相（Ｉｎ−Ｐｈａｓｅ）成分信号Ｉは、可変抵抗３２及び３３を介してオペアンプ３１の正入力端子及び負入力端子に夫々供給される。可変抵抗３４の一端及び他端が夫々オペアンプ３１の正入力端子及び負出力端子に接続されている。可変コンデンサ３６の一端及び他端が夫々オペアンプ３１の正入力端子及び負出力端子に接続されている。可変抵抗３５の一端及び他端が夫々オペアンプ３１の負入力端子及び正出力端子に接続されている。可変コンデンサ３７の一端及び他端が夫々オペアンプ３１の負入力端子及び正出力端子に接続されている。また、可変抵抗３２〜３５各々の抵抗値、並びに、可変コンデンサ３６及び３７各々の容量値は、フィルタ制御データＧＤによって示される各値に設定される。
【００２７】
アクティブフィルタＡＦ２は、オペアンプ４１、可変抵抗４２〜４５、可変コンデンサ４６及び４７を含む構成となっている。ミキサ２から供給された中間周波数信号ＩＦにおける直交成分（Ｑｕａｄｒａｔｕｒｅ−Ｐｈａｓｅ）信号Ｑは、可変抵抗４２及び４３を介してオペアンプ４１の正入力端子及び負入力端子に夫々供給される。可変抵抗４４の一端及び他端が夫々オペアンプ４１の正入力端子及び負出力端子に接続されている。可変コンデンサ４６の一端及び他端が夫々オペアンプ４１の正入力端子及び負出力端子に接続されている。可変抵抗４５の一端及び他端が夫々オペアンプ４１の負入力端子及び正出力端子に接続されている。可変コンデンサ４７の一端及び他端が夫々オペアンプ４１の負入力端子及び正出力端子に接続されている。また、可変抵抗４２〜４５各々の抵抗値、並びに、可変コンデンサ４６及び４７各々の容量値は、フィルタ制御データＧＤによって示される各値に設定される。
【００２８】
更に、オペアンプ３１の正出力端子が可変抵抗５３を介してオペアンプ４１の正入力端子に接続されており、オペアンプ３１の負出力端子が可変抵抗５４を介してオペアンプ４１の負入力端子に接続されている。また、オペアンプ４１の負出力端子が可変抵抗５１を介してオペアンプ３１の正入力端子に接続されており、オペアンプ４１の正出力端子が可変抵抗５２を介してオペアンプ３１の負入力端子に接続されている。尚、オペアンプ３１及び４１の各々の出力電流は例えば１０マイクロアンペアである。
【００２９】
かかる構成により、アクティブフィルタＡＦ１は、フィルタ制御データＧＤに基づくフィルタ特性にて、ミキサ２から供給された中間周波数信号ＩＦにおける正相成分信号Ｉに対して周波数選択処理を施して得られた中間周波数信号ＩＦＸ（正相成分Ｉ）を出力する。また、アクティブフィルタＡＦ２は、フィルタ制御データＧＤに基づくフィルタ特性にて、上記中間周波数信号ＩＦにおける直交成分信号Ｑに対して周波数選択処理を施したものを中間周波数信号ＩＦＸ（直交成分Ｑ）として出力する。
【００３０】
以下に、ＢＰＦ３におけるフィルタ特性の変更動作について説明する。
【００３１】
先ず、受信装置での受信強度が閾値受信強度ＲＧよりも低い場合には、受信強度判定回路１１は、受信強度が低いことを示す論理レベル０の強受信検出フラグＧＦをセレクタ１２に供給する。これにより、セレクタ１２は、低受信強度用制御データレジスタ２４に記憶されている低受信強度用フィルタ制御データＧ２をフィルタ制御データＧＤとしてＢＰＦ３に供給する。
【００３２】
低受信強度用フィルタ制御データＧ２は、図３に示す可変特性フィルタＦ１〜Ｆ５の各々毎に、可変抵抗３２〜３５、４２〜４５及び５１〜５４各々の抵抗値と、可変コンデンサ３６、３７、４６及び４７各々の容量値とを、個別に指定するものである。尚、以降、可変抵抗３２〜３５、４２〜４５及び５１〜５４各々の抵抗値と、可変コンデンサ３６、３７、４６及び４７各々の容量値とを組み合わせたものをフィルタ特性パラメータと称する。低受信強度用フィルタ制御データＧ２における可変特性フィルタＦ１に対応したフィルタ特性パラメータは、この可変特性フィルタＦ１を、上記中心周波数ｆｃを中心とした図５（ａ）に示す如き周波数特性Ｑ１を有するＢＰＦに設定する値を有する。また、低受信強度用フィルタ制御データＧ２における可変特性フィルタＦ２に対応したフィルタ特性パラメータは、この可変特性フィルタＦ２を、中心周波数ｆｃよりも低い周波数ｆ−１を中心とした図５（ａ）に示す如き周波数特性Ｑ２を有するＢＰＦに設定する値を有する。また、低受信強度用フィルタ制御データＧ２における可変特性フィルタＦ３に対応したフィルタ特性パラメータは、この可変特性フィルタＦ３を、上記中心周波数ｆｃよりも高い周波数ｆ１を中心とした図５（ａ）に示す如き周波数特性Ｑ３を有するＢＰＦに設定する値を有する。また、低受信強度用フィルタ制御データＧ２における可変特性フィルタＦ４に対応したフィルタ特性パラメータは、この可変特性フィルタＦ４を、上記した周波数ｆ−１よりも低い周波数ｆ−２を中心とした図５（ａ）に示す如き周波数特性Ｑ４を有するＢＰＦに設定する値を有する。また、低受信強度用フィルタ制御データＧ２における可変特性フィルタＦ５に対応したフィルタ特性パラメータは、この可変特性フィルタＦ５を、上記した周波数ｆ１よりも高い周波数ｆ２を中心とした図５（ａ）に示す如き周波数特性Ｑ５を有するＢＰＦに設定する値を有する。
【００３３】
従って、低受信強度用フィルタ制御データＧ２によれば、ＢＰＦ３は、図５（ａ）の実線にて示す如き、周波数特性Ｑ１〜Ｑ５を合成してなる周波数特性を有するＢＰＦとなる。すなわち、ＢＰＦ３は、複数のフィルタ（Ｆ１〜Ｆ５）各々のフィルタ特性の合成により、図５（ａ）の実線にて示す如き急峻な遮断特性を有するＢＰＦとなるのである。尚、上記した低受信強度用フィルタ制御データＧ２によってＢＰＦ３のフィルタ特性が設定された状態を低受信強度モードと称する。この低受信強度モード時におけるＢＰＦ３は、例えば図６（ａ）に示す如き群遅延特性を有する。
【００３４】
一方、受信装置での受信強度が閾値受信強度ＲＧよりも高い場合には、受信強度判定回路１１は、受信強度が高いことを示す論理レベル１の強受信検出フラグＧＦをセレクタ１２に供給する。これにより、セレクタ１２は、高受信強度用制御データレジスタ２３に記憶されている高受信強度用フィルタ制御データＧ１をフィルタ制御データＧＤとしてＢＰＦ３に供給する。尚、高受信強度用フィルタ制御データＧ１においても上記した低受信強度用フィルタ制御データＧ２と同様に、可変特性フィルタＦ１〜Ｆ５各々のフィルタ特性パラメータを個別に指定する為のものである。
【００３５】
この際、高受信強度用フィルタ制御データＧ１では、可変特性フィルタＦ１〜Ｆ３及びＦ５各々に対応したフィルタ特性パラメータに関しては、低受信強度用フィルタ制御データＧ２に示されるものと同一である。ただし、可変特性フィルタＦ４に対応したフィルタ特性パラメータは、この可変特性フィルタＦ４を、上記した周波数ｆ−２よりも更に低い周波数ｆ−３を中心とした図５（ｂ）に示す如き周波数特性Ｑ６を有するＢＰＦに設定すべき値である。すなわち、可変特性フィルタＦ１〜Ｆ５の内でＱ値が高い可変特性フィルタＦ４の通過帯域の中心周波数を、図５（ａ）に示す如き周波数特性Ｑ４による周波数ｆ−２よりも更に低域側に偏倚させた図５（ｂ）に示す如き周波数ｆ−３に設定するのである。
【００３６】
従って、上記した如き高受信強度用フィルタ制御データＧ１によれば、ＢＰＦ３は、図５（ｂ）の実線にて示す如き、周波数特性Ｑ１〜Ｑ３、Ｑ５及びＱ６を合成してなる周波数特性を有するＢＰＦに設定される。尚、高受信強度用フィルタ制御データＧ１によってＢＰＦ３のフィルタ特性が設定された状態を高受信強度モードと称する。この高受信強度モード時におけるＢＰＦ３では、上記した低受信強度モードの状態にある場合よりも、可変特性フィルタＦ４の中心周波数を中心周波数ｆｃから遠ざけているので、その位相回転量、つまり群遅延変動量が小さくなる。尚、高受信強度モード時におけるＢＰＦ３は、例えば図６（ｂ）に示す如き群遅延特性を有する。
【００３７】
よって、図５（ｂ）の実線に示す如き、ＢＰＦ３が高受信強度モードの状態にある場合での通過帯域は、図５（ａ）の実施に示す如き低受信強度モードの状態にある場合での通過帯域よりも広くなる。更に、ＢＰＦ３の通過帯域の中心周波数ｆｃを中心とした群遅延量の変動が微量、つまり平坦となる帯域幅は、図６（ａ）に示す如きＢＰＦ３が低受信強度モードの状態にある場合での帯域幅Ｗ１よりも、図６（ｂ）に示す如き高受信強度モードの状態にある場合での帯域幅Ｗ２の方が広くなる。
【００３８】
要するに、受信強度（ＲＳ）が閾値受信強度（ＲＧ）より高い場合には、多重フィルタとしてのＢＰＦ（３）を構築する複数のフィルタ（Ｆ１〜Ｆ５）の内の少なくとも１つのフィルタの中心周波数を偏倚させる。この際、多重フィルタ自体の中心周波数（ｆｃ）から遠ざける方向に偏倚させることにより、ＢＰＦの通過帯域幅を広げると共に群遅延変動量が少なくなる。よって、受信強度が高い為にＢＰＦにおける群遅延量の変動が大となり、且つ送信装置側の周波数偏差、或いは受信装置側の局部発振器の中心周波数の初期偏差又は温度偏差等により受信信号の中心周波数が所定の中心周波数からずれた状態にあっても、復調対象となる所望帯域の信号（ＩＦＸ）を抽出することが可能となる。
【００３９】
以上のことから、図２に示す受信装置を、近距離での無線通信が為される可能性があるトランシーバ、或いは各種緊急無線通報システムに適用することにより、通信不具合を復調時のデータエラー訂正だけで補正するものよりも、近距離での通信精度を大幅に向上させることが可能となる。
【００４０】
また、上記実施例では、ＢＰＦ３を低受信強度モードから高受信強度モードに切り替える場合、可変特性フィルタＦ１〜Ｆ５の内のＦ４に対してだけその中心周波数を偏倚させるようにしているが、中心周波数を偏倚させる可変特性フィルタは複数であっても良い。この際、可変特性フィルタＦ１〜Ｆ５の内の複数の可変特性フィルタの中心周波数を夫々個別に偏倚させることにより、ＢＰＦ全体での通過帯域幅を更に広げたり、或いは周波数特性をフラットにすることが可能となる。また、上述した中心周波数の偏倚と共に、各可変特性フィルタＦ１〜Ｆ５のＱ値（周波数帯域特性）を変更しても良い。このように、可変特性フィルタＦ１〜Ｆ５の内の複数の可変特性フィルタの中心周波数に加えて帯域を夫々個別に変化させることにより、より精度の高いフィルタ特性を実現することができる。
【００４１】
尚、ＢＰＦ３を高受信強度モードから低受信強度モードに切り替えるにあたり、ＲＳＳＩ回路８による受信強度の再現性が悪い場合には、受信強度判定回路１１にヒステリシス特性を持たせて、受信強度が閾値受信強度ＲＧよりも高い状態から低い状態に遷移したか否かを判定させるようにしても良い。
【００４２】
又、上記実施例においては、可変特性フィルタＦ１〜Ｆ５各々のフィルタ特性の変更を、可変抵抗３２〜３５、４２〜４５及び５１〜５４、並びに可変コンデンサ３６、３７、４６及び４７によって実現しているが、かかる構成に限定されない。例えば、可変抵抗３２〜３５、４２〜４５、５１〜５４の各々を図７（ａ）に示すように、スイッチング素子Ｓ１〜Ｓｎ及び抵抗Ｒ１〜Ｒｎで構成し、オン状態に設定するスイッチング素子Ｓの組み合わせをフィルタ制御データＧＤによって指定することにより、合成抵抗値を変更する構成を採用しても良い。また、可変コンデンサ３６、３７、４６及び４７の各々を図７（ｂ）に示すように、スイッチング素子ＳＳ１〜ＳＳｎ及びコンデンサＣ１〜Ｃｎで構成し、オン状態に設定するスイッチング素子ＳＳの組み合わせをフィルタ制御データＧＤによって指定することにより、合成容量値を変更する構成を採用しても良い。
【００４３】
また、上記実施例においては、ＢＰＦ３にて上記した如き高受信強度モード及び低受信強度モードの切り替えを行うようにしているが、バンドパスフィルタではなくダイレクトコンバージョン方式のローパスフィルタについても同様の構成を適用することが可能である。すなわち、上記した多重フィルタがローパスフィルタである場合には、受信強度（ＲＳ）が閾値受信強度（ＲＧ）より高いときには、このローパスフィルタを構築する複数のフィルタの内の少なくとも１つのフィルタの中心周波数を、ローパスフィルタのカットオフ周波数から高域方向に遠ざけるように偏倚させる。これにより、受信強度が高い場合には、ローパスフィルタの通過帯域幅を広げると共に群遅延変動量を少なくするのである。
【符号の説明】
【００４４】
３            ＢＰＦ
８            ＲＳＳＩ
１１          受信強度判定回路
１２          セレクタ
２３          高受信強度用制御データレジスタ
２４          低受信強度用制御データレジスタ
Ｆ１〜Ｆ５    可変特性フィルタ
【図１】
2012239016.tif 000003
【図２】
2012239016.tif 000004
【図３】
2012239016.tif 000005
【図４】
2012239016.tif 000006
【図５】
2012239016.tif 000007
【図６】
2012239016.tif 000008
【図７】
2012239016.tif 000009